(57)【要約】記憶媒体上のＭＰＥＧストリームを、ＧＯＰレベルで編集し且つ定義済みのマークを用いて途切れなくフレームをスキップすることにより、フレーム単位で編集する方法及び装置が開示される。一実施形態に従って、Blu-ray規格の記録可能型Blu-rayディスク仕様にて定義されたスキップ開始マークがBlu-rayディスク（ＢＤ）上に適切に設定される。復号器（31）と出力（35）を供給するフレームバッファ（33）とを有する好適な復号器モデルを用いて、このような記録されたストリーム（30）がＢＤから再生されるとき、再生方向に応じてスキップされる区画の終わり又は始まりまで飛び越えるときの中間バッファとしてフレームバッファ（33）を用いることにより、編集中に切除された区画がフレーム単位で途切れなくスキップされる。
2008521317.tif 000002
【特許請求の範囲】
【請求項１】
符号化された音声・映像ストリームをフレーム単位で編集する方法であって、音声・映像ストリームからフレームシーケンスを切除するためのマークを用いる処理を有する方法。
【請求項２】
音声・映像ストリームを編集するとき、記憶媒体に前記マークを記録することを有する請求項１に記載の方法。
【請求項３】
前記マークはスキップ開始マークである、請求項２に記載の方法。
【請求項４】
前記スキップ開始マークは音声・映像ストリームの編集中に切除された音声・映像ストリームのフレームシーケンスの始点及び期間を定める、請求項３に記載の方法。
【請求項５】
前記スキップ開始マークを前記フレームシーケンスの再生方向の最初のフレームに設定すること、及び前記期間を音声・映像ストリームの切除された前記シーケンスの最初のフレームから最後のフレームまでの長さに設定すること、を有する請求項３に記載の方法。
【請求項６】
前記マークを用いる処理は、編集版の音声・映像ストリームが格納される記憶媒体に、格納される編集版の音声・映像ストリームの前記シーケンスを定める編集開始点と編集終了点との間のフレームをスキップすることによって途切れのない再生を可能とするように、前記マークを記録することを有し、且つ前記マークは、音声・映像ストリームから前記シーケンスを切除するための前記編集開始点及び編集終了点を与える、請求項１に記載の方法。
【請求項７】
ＧＯＰ単位で編集すること、その後、前記マークをフレーム単位のレベルで用いることによって音声・映像ストリームをフレーム単位で編集すること、を有する請求項１乃至６の何れかに記載の方法。
【請求項８】
編集中に音声・映像ストリームから切除されたシーケンスをスキップする処理を有する、記憶媒体からの符号化された音声・映像ストリームを復号器システムによって復号化することであり、前記スキップする処理が、
記憶媒体からの符号化された音声・映像ストリームを、該スキップ処理における正規化速度より高速に復号化する処理、
復号化されたフレームをフレームバッファに格納し、且つ復号化されたフレームの出力を正規化速度で供給する処理、
前記マークに到達したとき、スキップ開始マークによって指し示されている切除区画内の、再生方向に応じて最初又は最後のＧＯＰの始まりにて、前記バッファの供給を停止させ且つ符号化された音声・映像ストリームからの読み出しを継続する処理、及び
前記スキップ開始マークによって設定された前記切除区画の、再生方向に応じて最後又は最初のフレームを復号化した後、正規化速度での前記バッファの供給を継続する処理、
によって行われる、復号化することを有し、
前記切除区画をスキップした途切れのない再生が前記出力に提供される、請求項１に記載の方法。
【請求項９】
符号化された音声・映像ストリームをフレーム単位で編集するように適応された装置であって、音声・映像ストリームからフレームシーケンスを切除するためのマークを用いるように構成された手段を有する装置。
【請求項１０】
前記手段は、編集版の音声・映像ストリームを再生するときに音声・映像ストリームからスキップされるべき前記フレームシーケンスの始点及び期間を指し示す前記マークを設定するように構成されている、請求項９に記載の装置。
【請求項１１】
記憶媒体からの符号化された音声・映像ストリームを復号化する復号器システムであり、
編集中に切除された区画を音声・映像ストリームからスキップするときの正規化速度より高速に音声・映像ストリームを復号化するように構成された、符号化された音声・映像ストリームを復号化する復号器、及び
前記復号器からの復号化されたフレームを格納し、且つ復号化されたフレームの出力を正規化速度で供給するように構成されたフレームバッファ、
を有する復号器システムを有し、
前記復号器は、
前記マークに到達したとき、音声・映像ストリームを設定しているスキップ開始マークによって指し示されている前記切除された区画内の、再生方向に応じて最初又は最後のＧＯＰの始まりにて、前記バッファの供給を停止させ且つ符号化された音声・映像ストリームからの読み出しを継続し、且つ
前記スキップ開始マークによって設定された前記切除された区画の、再生方向に応じて最後又は最初のフレームを復号化した後、正規化速度での前記バッファの供給を継続する、
ように構成されており、
その結果、前記切除された区画をスキップした途切れのない再生が前記出力に提供される、請求項９又は１０に記載の装置。
【請求項１２】
ブルーレイ記録装置である請求項９乃至１１の何れかに記載の装置。
【請求項１３】
符号化された音声・映像ストリームをフレーム単位で編集するための、コンピュータによって処理されるコンピュータプログラム、が記録されたコンピュータ可読媒体であって、前記コンピュータプログラムは、
編集版の音声・映像ストリームが再生されるときに音声・映像ストリームからスキップされるべきフレームシーケンスの始点及び期間を指し示すマークを設定するコードセグメント
を有する、コンピュータ可読媒体。
【請求項１４】
請求項１乃至８の何れかに記載の方法を実行することが可能な請求項１３に記載のコンピュータプログラム。
【請求項１５】
符号化された音声・映像ストリームのフレーム単位での編集を可能にする手段としてのマークの使用方法。
【請求項１６】
前記マークはＢＤ−ＲＥのスキップ開始マークである、請求項１５に記載の使用方法。
【発明の詳細な説明】
【技術分野】
【０００１】
本発明は、概して、音声・映像データストリームの分野に関する。本発明は、より具体的には、音声・映像ストリームのフレーム単位編集のための方法及び装置に関する。
【背景技術】
【０００２】
最新の大容量の記録規格は、間もなく民生品市場に現れるブルーレイ（Blu-ray）である。Blu-rayディスク（ＢＤ）は、従来の光記憶媒体より大きい記録容量を提供する根本的に新しい光記憶媒体である。ＢＤの数多い用途の１つは、ビデオ素材の記録、より正確には、例えばビデオカメラ、衛星伝送などからのデジタル音声・映像（ＡＶ）ストリームの記録である。高解像度ビデオ記録は、故に、とりわけＢＤの大記録容量及び高速データ伝送速度により、ＢＤを活用する一分野となるであろう。
【０００３】
大抵のデジタルビデオ録画機はビデオをＭＰＥＧフォーマットで記録している。これらはまた、非常に基本的な編集機能を提供している。しかし今日まで、先進的な編集機能は、演算能力すなわちＭＩＰＳ（１００万命令／秒）の点及び／又はメモリ集約的である点で厳しいものであり、特に、ビデオストリームはＭＰＥＧフォーマットから復号化された後、同一のＭＰＥＧフォーマットで記録するために再符号化されなければならないことにより、民生品に組み込むことは不可能であった。
【０００４】
しかしながら、プロ用のハイエンド民生電子製品においては、これらの基本的な編集機能では不十分である。ビデオシーケンスの編集は、音声・映像ストリーム内の最も近いＧＯＰ（Group  of  picture）境界を発見し、その後に編集処理を加えることを含む。この手法では、ＧＯＰ境界の計算のために、ユーザが編集しようと意図しなかった数フレームが編集されてしまったり、その逆のことが起こったりする。大抵の場合、ＧＯＰの長さはおよそ0.5秒である。ＧＯＰ単位（GOP-accurate）編集と呼ばれるこの手法は、ローエンド製品には極めて適しているが、ＧＯＰレベルでの編集では許容できないハイエンドのプロ用製品には適していない。図１はこのことを示しており、ビデオシーケンス10の第１のＧＯＰ12、第２のＧＯＰ13、N-1番目のＧＯＰ14及びＮ番目のＧＯＰ15が例示されている。ＧＯＰ単位での編集が意味することは、ビデオシーケンス10から切り出されるべきフレームシーケンスの開始フレームの始点を指し示す点Ａを、点“ａ１”（そのＧＯＰ12の始まり）又は点“ａ２”（次のＧＯＰ13の始まり）に移動させることをシステムが自動的に決定するということである。同じことが終点Ｂにも当てはまり、終点Ｂは点“ｂ１”（前のＧＯＰ14の終わり）又は点“ｂ２”（そのＧＯＰ15の終わり）の何れかに移動される。符号器が１つのＧＯＰ内により多くのフレームを有している場合、状況は更に悪化する。
【０００５】
Blu-ray録画機のようなハイエンド製品において期待されるのは、フレーム単位（frame-accurate）編集（すなわち、図１の点Ａ及び／又はＢの移動のない編集）を行うことである。ＭＰＥＧ再符号化が切り取られたＧＯＰ（すなわち、ＧＯＰ12及びＧＯＰ15）の周辺のＧＯＰに対して行われる場合、この期待は実現可能である。しかしながら、ＭＰＥＧを再符号化することは時間のかかるものであり、ハードウェアは再符号化を実行するためにＣＰＵパワー、メモリ等のような資源を十分に有していなければならない。従って、ＭＰＥＧストリームをフレーム単位で編集するときに、ＭＰＥＧ再符号化を回避する方法が望まれる。
【０００６】
ＭＰＥＧストリームの再符号化のために資源を必要とする問題を解決する１つの既知の案は、ＭＰＥＧストリーム内の編集点でフレーム単位の途切れのない再生を提供することである。しかしながら、特許文献１にて開示されているように、ブリッジ（bridge）シーケンスが生成され、編集点と編集点との間に記録されなければならない。
【特許文献１】国際公開第００／００９８１号パンフレット
【発明の開示】
【発明が解決しようとする課題】
【０００７】
本発明は、ブリッジシーケンスを生成する必要のないフレーム単位での編集を提供することを目的とする。この必要性は、例えば、ブリッジシーケンスを作り出すためのＭＰＥＧフレームの再符号化によって、ブリッジシーケンスを生成する手順は時間を要するものとなることに基づいている。何故なら、ＭＰＥＧフレームの符号化は一般的にＭＰＥＧフレームの実時間での復号化よりおよそ２倍から４倍の演算能力を使用するからである。さらに、ブリッジシーケンスは記憶媒体上にＭＰＥＧストリーム用の追加の空き空間を必要とする。
【課題を解決するための手段】
【０００８】
故に、フレーム単位での編集のための改善された方法及びシステムが有利であり、とりわけ、特にＢＤ規格である既存の、そして好ましくは将来的な規格と互換性があり、柔軟性を向上させ得る方法及びシステムが有利である。
【０００９】
従って、フレーム単位での編集のための、添付の請求項に従った方法、装置、対応する復号器、及びプログラムコードを有するコンピュータ可読媒体を提供することが好ましい。
【００１０】
本発明に従った全般的な解法は、音声・映像ストリーム内に編集開始点及び編集終了点を規定するための、規格に定義されたマークを使用するものである。
【００１１】
本発明の第１の態様に従って、符号化された音声・映像（ＡＶ）ストリームをフレーム単位で編集する方法が提供される。当該方法は、編集時に、ＡＶストリームからシーケンスを切除するための手段としてマークを用いる処理を有する。このように編集されたＡＶストリームが再生されるとき、音声・映像ストリーム内のシーケンスは編集開始点及び編集終了点に従ってスキップされる。
【００１２】
本発明の他の一態様に従って、符号化されたＡＶストリームをフレーム単位で編集するように適応された装置が提供される。当該装置は、本発明の第１の態様に従った方法を実行することが可能であり、編集されたＡＶストリームを再生するときにＡＶストリームからスキップされるべきフレームシーケンスの始点及び期間を指し示すマークを設定するように構成された手段を有する。
【００１３】
本発明の更なる一態様に従って、コンピュータによって処理されるコンピュータプログラムが記録されたコンピュータ可読媒体が提供される。このコンピュータプログラムは、コンピュータによって処理されるものであり、符号化されたＡＶストリームをフレーム単位で編集するために提供され、編集されたＡＶストリームを再生するときにＡＶストリームからスキップされるべきフレームシーケンスの始点及び期間を指し示すマークを設定するコードセグメントを有する。
【００１４】
更に他の一態様に従って、記憶媒体からの符号化されたＡＶストリームを復号化する復号器システムが提供される。当該復号器システムは、編集中に切除された切除区画をＡＶストリームからスキップするときの正規化（nominal）速度より高速にＡＶストリームを復号化するように構成された、符号化されたＡＶストリームを復号化する復号器を有する。さらに、フレームバッファが、復号器からの復号化されたフレームを格納し、且つ復号化されたフレームの出力を正規化速度で供給するように構成され、復号器は、マークに到達したとき、ＡＶストリームを設定しているスキップ開始マークによって指し示されている切除区画内の、再生方向に応じて最後のＧＯＰ又は最初のＧＯＰの始まりにて、バッファの供給を停止し且つ符号化されたストリームからの読み出しを継続し、且つスキップ開始マークによって設定された切除区画の、最後のフレームを復号化した後、バッファの供給を継続するように構成されており、その結果、切除区画の途切れのない再生スキップがもたらされる。
【００１５】
本発明は、ＭＰＥＧフレームの再符号化が不要であるので高速なユーザ応答を提供できるという、従来技術に対する利点を有する。本発明によって提供される他の利点は、例えば、本発明に係る方法を実行するときにブリッジシーケンスが作り出される必要がないことにより、追加の空き記憶媒体が不要であることである。
【００１６】
本発明のこれら及び他の態様、特徴及び効果は、以下の、添付の図面を参照しながらの本発明の実施形態の説明によって明らかとなる。
【発明を実施するための最良の形態】
【００１７】
以下の説明はBlu-rayのフレーム単位での編集装置、特にBlu-ray録画機、に適用可能な本発明の一実施形態に焦点を当てている。しかしながら、認識されるように、本発明はこの用途に限定されるものではなく、記憶媒体の記録フォーマットを規定する規格にて、ここで説明されるマーカーと同様なものが利用可能である限り、例えばＨＤ−ＤＶＤを含む他の多くの音声・映像（ＡＶ）記録フォーマットに適用されてもよいものである。本発明は、例えば光ディスク、ＨＤＤ、メディアカード等の如何なる記憶媒体を用いて実現されてもよい。
【００１８】
マークは、一般に、タイトルにより表されるＡＶストリームのグローバル時間軸上のタイムスタンプによって参照されるポインタとして定義される。マークは、通常、再生のための特徴シーンの重要点を参照するために使用される。
【００１９】
また、マークは名前及び期間のような幾つかの特性を有していてもよい。期間は、例えば見出し（chapter）マークの長さなど、マークの長さを定義する。アプリケーションフォーマットは幾つかのマークの使用法を定義する。１つのアプリケーションのマーク使用法はマークの長さによって指定されたＡＶ部分が再生されないようにすることである。Blu-rayディスクの仕様1.0版では、この種のマークはスキップ開始マークと呼ばれている。この種のマークが、以降にて詳細に説明される本発明の実施形態におけるフレーム単位編集に使用される。
【００２０】
スキップ開始マークの一例が図２に示されている。ＡＶストリーム20が例示されており、スキップ開始マークがＡＶストリームのスキップされるべきフレームシーケンス22の始点21を定めている。上述のように、スキップ開始マークは時間（図２のｔ）的な期間1を有しており、この期間のＡＶストリームは再生中にスキップされることになる。すなわち、ＡＶストリームの再生はスキップ開始マークの前のフレーム23の終わりで終了し、このマークによって指し示される期間の終了後の最初のフレーム24で継続される。
【００２１】
より具体的には、この実施形態に関し、Blu-ray規格はＢＤ−ＲＥ（記録可能ＢＤ）仕様1.0版の第4.3.7.3節にてスキップ開始マークを指定可能な期間とともに定義している。このＢＤ−ＲＥ仕様は、例えば、フィリップス知的財産・システム（ＩＰ＆Ｓ）（http://www.licensing.philips.com/）から入手可能である。これらのＢＤ−ＲＥのスキップ開始マークはフレーム単位のレベルで挿入され得る。既述のように、スキップ開始マークは、このマークを有する記録可能ＢＤの再生機への、ＡＶストリームの指定部分をスキップさせるための指示であり、通常、選択されたシーンが再生されないようにするために使用される。
【００２２】
なお、スキップ開始マークは厳密には再生のために定義されたものであり、本発明が為されたときのＢＤ−ＲＥ仕様1.0版には、定義された再生スキップマークを編集で挿入／削除する点に使用することについては記載も示唆もされていない。
【００２３】
上述のＢＤ−ＲＥ仕様と互換性のあるＭＰＥＧストリームのフレーム単位編集を実現するための、非常に便利で計算的に要求が厳しくない手法は、ビデオストリーム上でＧＯＰ単位編集を実行した後に、上述のＢＤ−ＲＥ仕様の第4.3.8節及び4.3.7.3節にて指定されたマーカー定義データとともにスキップ開始マークを使用することである。例えば、図１において、点Ａからａ２までの期間を有するスキップ開始マークが点Ａに置かれ、点ｂ１からＢまでの期間を有する別のスキップ開始マークが点ｂ１に置かれる。スキップされる期間に属するフレームは、編集中に切除されるフレームである。これらの切除フレームは、前／後のフレーム単位での処理を実現するために、バックグラウンドで復号化される必要がある（出力では視覚化されない）。
【００２４】
続いて、この方法について図４を参照しながら更に説明する。図４では、この方法は以下の処理を用いて例示されている：
40  ＢＤから編集装置へのＡＶストリームのロード、
41  ＧＯＰレベルでのＡＶストリームの編集、
42  フレームレベルでのＡＶストリームの編集、及び
43  ＢＤ上への開始−終了マーカーの書込み。
【００２５】
処理40にて、ＡＶストリームがＢＤから好適な編集装置へと読み出される。処理41にて、ＡＶストリームはＧＯＰレベルで編集される。これは計算上有利である。ユーザはＡＶストリームから、切除したいフレームシーケンスを含むある一定の領域を選択する。この領域がＧＯＰレベルで指定されるとき、編集は処理42にてフレームレベルで継続される。すなわち、ユーザは、ＡＶストリームから切除されるべきシーケンスの最初のフレーム及び最後のフレームを正確に指定する。このシーケンスは、ＴＶ放送から録画された映画におけるコマーシャル中断であってもよい。ユーザは、例えば好適なグラフィカル・ユーザ・インターフェースと、マウス、タッチ画面、リモコン等の入力装置とを用いて、最初のフレームに編集開始点、最後のフレームに編集終了点を設定する。当該方法に従って、スキップ開始マークが最初のフレームに設定され、期間が切除シーケンスの最初のフレームから最後のフレームまでの長さを有するように設定される。処理43にて、このマークはＢＤに記録され、それにより、この切除シーケンスはこのＢＤのその後の再生時にスキップされることになる。
【００２６】
故に、本発明の実施形態に従って、ＢＤのスキップ開始マークが編集のために使用される。より正確には、ビデオシーケンスの一定部分の始まりをブックマークするためのスキップ開始マークが、フレーム単位での編集のために使用される。これらのマークは、ブリッジシーケンスを生成する必要なくフレーム単位での途切れのない再生を支援するための、編集開始点及び編集終了点を実現するために使用される。
【００２７】
このフレーム単位での編集方法を実現する一手法は、復号器と出力との間にバッファメモリを有する効率的な復号器システムによって提供される。この復号器のモデルが図３に概略的に例示されている。このバッファ33は復号化されたフレーム34を格納し、このバッファの大きさは復号器の速度（正規化速度1より高速）に依存する。符号化されたＡＶストリーム30が、例えばＢＤから復号器31に読み出される。ＡＶストリームからの復号化されたフレーム32は、ＡＶストリームの再生中にｆｉｆｏ手法でフレームバッファ33に投入される。すなわち、フレームN、N+1、N+2、…は時点T、T+1、T+2、…でのフレームである。バッファ33は、通常、すなわち復号器がストリームから切除区画をスキップしないとき、復号器31（正規化速度1より高速に復号化している）からの復号化されたフレーム32のストリームからの最大数のフレーム34で満たされている。バッファ33の大きさは、所定の最大数のフレームがフレームバッファ33に収まるように、適切に選定される。これは、好ましくは、スキップ開始マークがスキップを指し示し得る最大の長さ（又はフレーム数）に相当する大きさである。復号器31は、スキップ開始マークの始点21に到達すると、スキップ開始マークによって指し示された隠し領域、すなわち、図２に例示されるような領域22、の最後のＧＯＰの始まりにて読み出しを開始する。例えば図１の例では、これはＧＯＰ15である。復号器はバックグラウンドでこのＧＯＰからフレームの復号化を開始するが、それらをフレームバッファ33には投入することはしない。復号器モデルの出力35は、途切れのない再生を保障するために、フレームバッファ33からのフレームを出力し続ける。復号器31がスキップ開始マークの隠し領域22の最後のフレームを復号化すると、全ての後続フレームは再びフレームバッファに投入され、途切れのない再生が確保される。
【００２８】
フレーム単位での編集にＢＤのスキップ開始マークを使用することの一用途が以下にて与えられる。
【００２９】
図５に示されるBlu-ray録画機50は、ユーザの意識“あなたが編集するものはあなたが得るものです”にさらされる。ということで、フレーム単位での編集は録画されたビデオを通じて前進及び後退することによってフレーム毎に実行される。これは、望みのシーンを正確に発見したり、あるいは上述の方法によって廃棄したいシーンを切除したりするために、ユーザによって行われる。編集されたビデオを再生するとき、ユーザによって切除されたシーンはフレーム単位のレベルでスキップされる。
【００３０】
これに関連し、幾つかの処理モードが可能である。
【００３１】
例えば、切除モードでは、除去されるべきシーンが指定される。このモードは、例えば、ＴＶ番組からコマーシャルを除去するのに適している。単に、シーンの最初と最後に選択マーカーを設定し、Blu-ray録画機の“切除ボタン”を押す。出力ファイルの内の選択された領域は再生されず、非選択領域は再生される。このとき、これは上述のスキップ開始マークによって制御される。
【００３２】
別の１つのモードはシーンモードであり、これは切除モードのちょうど反対である。選択された領域が再生され、非選択領域がスキップされる。この処理モードは、例えば、ユーザがビデオシーケンスから素材を抽出したいときに使用される。この場合、スキップ開始マークは非選択領域の始まりに適切に設定され、期間は非選択領域の長さに設定される。
【００３３】
フレーム単位での編集を規格外の手法で達成する従来技術による解法とは対照的に、上述の本発明の実施形態は上述のＢＤ−ＲＥ規格に適合するものである。ＢＤ仕様にて提供されるマーカーデータが使用されるので、当該方法はＢＤ仕様の他の全ての実装と互換性がある。
【００３４】
上述の本発明に従った方法の用途及び使用は様々であり、例えば民生用又はプロ用のＢＤ録画機、ＢＤストレージ・ソリューション等の、完全な範囲のBlu-ray記録・再生製品といった典型的な分野を含んでいる。
【００３５】
本発明の更なる用途は、上述のマークを利用する如何なるＡＶ記録用途をも含んでいる。
【００３６】
本発明の更なる利点は、ビデオのペイロードは全く編集されないことである。ビデオの付加的なメタデータのみ、すなわち、スキップ開始マーク位置とマーカー定義データのみがディスクに付加的に書き込まれる。
【００３７】
本発明は、ハードウェア、ソフトウェア、ファームウェア又はこれらの如何なる組み合わせをも含む好適な如何なる形態で実装されることも可能である。しかしながら、本発明は好ましくは、１つ又は複数のデータプロセッサ及び／又はデジタル信号プロセッサ上で実行されるコンピュータソフトウェアとして実装される。本発明の実施形態の要素及び部品は、物理的、機能的及び論理的に、好適な如何なる手法で実装されてもよい。実際、機能は単一のユニット若しくは複数のユニット内に実装されてもよいし、あるいは他の機能ユニットの部分として実装されてもよい。このようなものとして、本発明は単一ユニット内に実装されてもよいし、あるいは相異なるユニット及びプロセッサ間に物理的及び機能的に分散されていてもよい。
【００３８】
本発明は特定の実施形態を参照しながら説明されてきたが、ここで説明された具体的な形態に限定されるものではない。本発明の範囲は、むしろ、添付の請求項によってのみ限定されるものであり、これら添付の請求項の範囲には、上記の特定の実施形態以外の実施形態、例えば、上述とは異なるマーク、が等しく含まれることもあり得る。また、当業者に理解されるように、上述の実施形態は編集されたビデオストリームの前方への再生に基づいており、編集されたビデオストリームの再生方向を逆にする場合には、上述の原理は異なる方向でのみ当てはまる。すなわち、例えば、逆方向では最初のフレームが最後のフレームとなる等である。
【００３９】
請求項において、用語“有する／有している”は、他の要素又はステップの存在を排除するものではない。さらに、個別に記載されてはいるが、複数の手段、要素又は処理が、例えば単一のユニット又はプロセッサによって実装されていてもよい。さらに、個々の特徴は異なる請求項に含まれていてもよいが、これらは場合によって有利に組み合わされてもよい。また、異なる請求項に含まれることは、これら特徴の組み合わせが実現可能でないこと、及び／又は有利でないことを意味するものではない。さらに、単数形での言及は複数であることを排除するものではない。用語“ある”、“第１の”、“第２の”等への言及は複数であること排除するものではない。請求項中の参照符号は単に例を明りょうにするためだけのものであり、請求項の範囲を何かしら限定するものとして解釈されるものではない。
【図面の簡単な説明】
【００４０】
【図１】ＭＰＥＧ−２ストリームのＧＯＰ単位での編集を例示する概略図である。
【図２】スキップ開始マークの一例を例示する概略図である。
【図３】復号器モデルを例示する概略図である。
【図４】本発明に従った方法の一実施形態を例示するフローチャートである。
【図５】本発明に従った装置の一実施形態を例示する概略図である。
【図１】
2008521317.tif 000003
【図２】
2008521317.tif 000004
【図３】
2008521317.tif 000005
【図４】
2008521317.tif 000006
【図５】
2008521317.tif 000007